(57)【要約】【課題】ホーム柵点検用の上蓋を閉めるとき、固定ネジの頭を引っ張り出す必要がなく、点検時の作業性が改善された可動式ホーム柵を得る。【解決手段】プラットホーム床に立設された柵１と、この柵の上端にヒンジによって回動可能に設けられた柵の上部を開閉する上蓋２と、この上蓋の内方における反ヒンジ側の上記柵上端部に設けられたネジ穴を有する係止部４０と、上記上蓋を閉じたときに該上蓋の外側から上記係止部のネジ穴にネジ込むことにより該上蓋を固定する固定ネジ６と、この固定ネジを上記上蓋に回動及び進退可能に保持すると共に、上記係止部から外れているときは該固定ネジを引き抜く方向に退避させる弾性部材５３を有する固定ネジ保持装置５０とを備えたものである。【選択図】図１
2007216898.tif 000002
【特許請求の範囲】
【請求項１】
プラットホーム床に立設された柵と、この柵の上端にヒンジによって回動可能に設けられた該柵の上部を開閉する上蓋と、この上蓋の内方における反ヒンジ側の上記柵上端部に設けられたネジ穴を有する係止部と、上記上蓋を閉じたときに該上蓋の外側から上記係止部のネジ穴にネジ込むことにより該上蓋を固定する固定ネジと、この固定ネジを上記上蓋に回動及び進退可能に保持すると共に、上記係止部から外れているときは該固定ネジを引き抜く方向に退避させる弾性部材を有する固定ネジ保持装置とを備えたことを特徴とする可動式ホーム柵。
【請求項２】
上記係止部は、上記固定ネジが所定量ネジ込まれたときに該固定ネジの先端部の進入を制限する当接部が設けられていることを特徴とする請求項１に記載の可動式ホーム柵。
【請求項３】
上記上蓋の所定部に上記固定ネジの頭部よりも大径の穴を設けると共に、上記固定ネジ保持装置をこの穴の背面側に設け、上記固定ネジの頭部と上記上蓋の直接的な接触を絶つようにしたことを特徴とする請求項１または請求項２に記載の可動式ホーム柵。
【請求項４】
上記固定ネジ及び上記固定ネジ保持装置はステンレスを用いてなることを特徴とする請求項１ないし請求項３の何れかに記載の可動式ホーム柵。
【発明の詳細な説明】
【技術分野】
【０００１】
この発明は、駅のプラットホームなどに設けられる可動式ホーム柵に関し、さらに詳細には柵の上端に設けられる点検用の上蓋の固定構造に関するものである。
【背景技術】
【０００２】
従来の可動式ホーム柵の例としては、例えば視覚障害者にとってバリアフリー化を実現するようにしたものなどがある（例えば特許文献１参照。）。可動式ホーム柵はまた、全ての利用者にとって安全であると同時に、故障が少なく、保守、点検が容易で、かつ、故障などのトラブル発生時には係員などの関係者が素早く点検、復帰対応できる信頼性の高い構造が求められている。例えば、電車が数分ごとに発着する駅において、可動式ホーム柵に不具合が発生した場合、電車の運行に支障を来たさないようにするために、早急に点検、修理を完了させる必要がある。
【０００３】
点検調整や修理が遅れると、多大な損失を被ることになる。そのため、短時間で保守点検、修理ができるように、ホーム柵本体の上部に上蓋を設け、ホーム柵本体の内部の点検、修理が容易に行えるような構造としたものがある。例えば、図１１及び図１２は従来の可動式ホーム柵におけるホーム柵本体の上端部に設けられた点検用の上蓋部分を説明する断面図であり、図１１は上蓋の全閉時の固定状態、図１２は上蓋の全開状態を示す。なお、両図共、後述する実施の形態１に係る図６のＩ−Ｉ線における矢視断面図相当の従来例である。
【０００４】
図において、柵としてのホーム柵本体１の上端には、ホーム柵本体１の内部点検用の上蓋２がヒンジ３によって回動可能に設けられている。上蓋２の内方における反ヒンジ側（図の左側。便宜上、前側と呼び、ヒンジ３側を奥側と呼ぶ。）のホーム柵本体１の上端部には、水平方向の一辺がホーム柵本体１の上端に固定用ネジ４３で固定され、他辺に丸穴４１ａを有する断面Ｌ形の金具４１と、この金具４１の丸穴４１ａ部に同軸に溶接固定されたネジ穴を有するナット４２からなる係止部４が設けられている。上蓋２の前面部２１には固定ネジ６を上蓋２に回動及び進退可能に保持する固定ネジ保持装置５が設けられている。
【０００５】
上記固定ネジ保持装置５は上蓋２の前面部２１における上記係止部４のネジ穴に対向する位置に設けられた丸穴２１ａと、前面部２１の背面側に溶接固定され、固定ネジ６のネジ部６１に螺合するネジ穴５１ａを有するＬ形金具５１からなっている。固定ネジ６は、軸先端部にのみネジ部６１が設けられ、固定ネジ保持装置５に保持させるときは、上蓋２の外側からネジ部６１を丸穴２１ａに挿通した後、Ｌ形金具５１のネジ穴５１ａ部に螺合させ、先端のネジ部６１がネジ穴５１ａ部を通過するまで回転させることで保持され、抜け止め機能を有するように構成されている。図１１は、固定ネジ６を上蓋２の外側（前面部２１）から係止部４にネジ込み、上蓋２をホーム柵本体１の上端に固定した状態を示し、図１２は固定ネジ６を係止部４から外し、上蓋２を開いて点検可能にした状態を示している。なお、固定ネジ６は上蓋２の長手方向に適宜に２〜３箇所設けられている。
【０００６】
【特許文献１】特開２００５−２３９０１３号公報（第１頁、図１）
【発明の開示】
【発明が解決しようとする課題】
【０００７】
従来の可動式ホーム柵は、ホーム柵本体１の点検用の上蓋２が上記のような固定構造となっているので、点検時に固定ネジ６を緩め上蓋２を全開すると、図１２に示すように、固定ネジ６が、自重で上蓋２の丸穴２１ａの縁部に固定ネジ６の頭部が当たるまで落下して嵌り込み、点検終了後に上蓋２を閉めるとき、固定ネジ６の頭部が落下した状態のままではネジ部６１が係止部４に干渉するので、それを回避するために複数の固定ネジ６の頭部を指で引っ張り出し、その状態を保持して閉めなければならず、複数の作業者が必要になるなど作業性が悪いという問題があった。また、固定ネジ６を締め付けると、どこまでも回転するような構造なので、締め過ぎによって上蓋２の前面部２１が凹み、あるいは上蓋２自体が後方側に移動（ズレ）する場合が生じるという問題もあった。
【０００８】
この発明は、上記のような従来技術の課題を解決する為になされたもので、一旦開いた上蓋を閉めるとき、固定ネジの頭を引っ張り出す必要がなく、点検時の作業性が改善された可動式ホーム柵を得ることを目的としている。また、固定ネジの締め過ぎによる上蓋の変形やズレを防止した可動式ホーム柵を得ることを目的としている。
【課題を解決するための手段】
【０００９】
この発明による可動式ホーム柵は、プラットホーム床に立設された柵と、この柵の上端にヒンジによって回動可能に設けられた該柵の上部を開閉する上蓋と、この上蓋の内方における反ヒンジ側の上記柵上端部に設けられたネジ穴を有する係止部と、上記上蓋を閉じたときに該上蓋の外側から上記係止部のネジ穴にネジ込むことにより該上蓋を固定する固定ネジと、この固定ネジを上記上蓋に回動及び進退可能に保持すると共に、上記係止部から外れているときは該固定ネジを引き抜く方向に退避させる弾性部材を有する固定ネジ保持装置とを備えたものである。
また、固定ネジの締め過ぎによる上蓋の変形やズレを防止するために、上記係止部に固定ネジの先端部の進入を制限する当接部を設けたものである。
【発明の効果】
【００１０】
この発明においては、固定ネジが係止部から外れているときは、該固定ネジを引き抜く方向に退避させる弾性部材を備えたことにより、開いた上蓋を閉めるときに固定ネジが係止部に干渉することがなくなり、従って固定ネジの頭を指で引っ張り出さなくても良くなる。
また、係止部に固定ネジの先端部の進入を制限する当接部を設けたことによって、固定ネジの締め過ぎによる上蓋の変形やズレが防止できる。
【発明を実施するための最良の形態】
【００１１】
実施の形態１．
図１〜図７はこの発明の実施の形態１による可動式ホーム柵の要部を説明するもので、図１は上蓋固定時の要部断面図、図２は図１に示す固定ネジ保持装置の組付け状態を説明する図、図３は固定ネジを係止部から外した状態を示す断面図、図４は上蓋を開いた状態を示す断面図、図５は上蓋を図４の状態から閉じたときの状態を示す断面図、図６は可動式ホーム柵の全体（ユニット）をプラットホーム中央部側から見たときの正面図、図７は図６の可動式ホーム柵を図６の矢印Ａ方向から見た側面図である。なお、図１は図６のＩ−Ｉ線における矢視断面図に相当する。また、各図を通じて同一符号は同一または相当部分を示すものとする。
【００１２】
可動式ホーム柵は、図６及び図７に示すように、プラットホーム床１００の列車側（軌道側、図７の右側）端部内側にアンカー等によって固定、立設される。この例では柵としてのホーム柵本体１の内部に出入可能に設けられた可動扉７が互いに向き合うように対称的に形成された一対のホーム柵本体１を可動扉７が対向するように設けている。ホーム柵本体１は、可動扉７の位置が停車する列車の乗降扉の位置と合致するように設けられ、プラットホームの長手方向に沿って所要数設置される。ホーム柵本体１の上端には、図示省略している機構部等の保守、点検、調整のための上蓋２がヒンジ３を介して開閉可能に設けられている。係止部４０を構成する丸穴のないＬ形の金具４４の当接部４４ａには固定ネジ６のネジ部６１に螺合するネジ穴を有するナット４２が溶接によって固着され、袋ネジ状に形成されている。
【００１３】
固定ネジ６は図２に示すように、軸の先端部にネジ部６１が設けられ、ネジのない首部（軸の中央部）は、段部６２を介して先端側に小径部６３ａが形成され、頭部側に大径部６３ｂが形成されており、頭部下からネジ部６１の先端６１ａまでの長さＬに形成されている。なお、丸穴２１ａは固定ネジ６の頭部を通さず、ネジ部６１及び大径部６３ｂは自由に挿脱できる大きさに形成され、Ｌ形金具５１のネジ穴５１ａは従来装置と同様ネジ部６１に螺合し、固定ネジ６の抜け止め機能を有する。また、上蓋２を閉じたとき、該上蓋２の前面部２１と金具４４の当接部４４ａとの距離Ｄは、上記固定ネジ６の長さＬと略等しく形成され、固定ネジ６をナット４２のネジ穴にネジ込んだときに、固定ネジ６の先端６１ａが金具４４の当接部４４ａに当接することで、締め込み量が制限されている。
【００１４】
上記固定ネジ６は、ネジ部６１を上蓋２の前面部２１の丸穴２１ａに挿通した後、丸穴５２ａを有する平座金からなるバネ座５２、及び弾性部材としての圧縮バネ５３に順次挿通し、さらにＬ形金具５１のネジ穴５１ａをネジ部６１が通過するまでネジ込む。このとき、圧縮バネ５３の圧縮力は、バネ座５２とＬ形金具５１の間隔を広げる方向に作用してバネ座５２を図２の左方に押すことにより、固定ネジ６が段部６２を介して左方に付勢され、図３に示すように固定ネジ６の大径部６３ｂが上蓋２の前面部２１から突出した状態に保持される。この実施の形態１では、上記丸穴２１ａ、Ｌ形金具５１、バネ座５２、及び圧縮バネ５３によって固定ネジ保持装置５０が構成されている。なお、Ｌ形の金具４４は固定用ネジ４３でホーム柵本体１の上端部に仮固定し、上蓋２を閉めて固定ネジ６を係止部４０のナット４２のネジ穴にネジ込み、固定ネジ６が止まった位置でもう一度上蓋２を開いて、固定用ネジ４３を本締めする。その他の構成は従来装置と同様である。
【００１５】
次に上記のように構成された実施の形態１の動作について説明する。先ず、上蓋２を係止部４０に固定する場合には、固定ネジ６を圧縮バネ５３の圧縮力に抗して先端６１ａが係止部４０のナット４２に届くまで押し込んだ後、図示省略しているドライバーなどでナット４２のネジ穴にネジ込むことで、図１に示す状態に固定される。このとき、固定ネジ６の頭部が上蓋２の前面部２１に当接すると同時に、固定ネジ６の先端６１ａが金具４４の当接部４４ａに当接して固定ネジ６の進入を制限するので、固定ネジ６の締め過ぎによる変形などが防止できる。
【００１６】
一方、上蓋２を開くときには、固定ネジ６を緩めていくと、ネジ部６１とナット４２の螺合が解かれたときに、圧縮バネ５３の圧縮力で固定ネジ６は図２の左方に付勢され、ネジ部６１がＬ形金具５１のネジ穴５１ａに係止されることで、図３に示すように大径部６３ｂが前面部２１から突出した状態で固定ネジ保持装置５０に保持される。このため、図４に示すように上蓋２を開いても突出した状態がそのまま保持され、固定ネジ６が重力で下方向に移動してしまうことはなくなる。一方、一旦開いた上蓋２を閉じるときは、固定ネジ６の頭部と大径部６３ｂが突出した状態のままとなっているので、図５に示すように固定ネジ６のネジ部６１が係止部４０に干渉するのを防ぐことができる。
【００１７】
上記のように、実施の形態１によれば、係止部４０のナット４２を当接部４４ａで袋状にすると共に、上蓋２を閉じたときの前面部２１と金具４４の当接部４４ａとの距離Ｄと、上記固定ネジ６の長さＬを略等しくしたことにより、従来問題であった、固定ネジ６の締めすぎによる上蓋２の前面部２１の変形や上蓋２自体を後方へ移動変形させてしまうという問題を解決できるという効果が得られる。また、固定ネジ保持装置５０に備えた圧縮バネ５３によって固定ネジ６を常時後退位置で係止させるようにしたので、上蓋２を閉じるときに固定ネジ６の先端部のネジ部６１が係止部４０と干渉する問題を解決させることができ、しかも固定ネジ６の頭を指で引っ張り出さなくても良くなるので、保守点検、修理時に余分な時間を発生させないといった効果が得られる。
【００１８】
実施の形態２．
図８〜図１０はこの発明の実施の形態２による可動式ホーム柵の要部を説明するもので、図８は上蓋の固定ネジ保持装置と係止部の構成を示す断面図、図９は図８の矢印Ｅ方向から見た正面図、図１０は図８の矢印Ｆ方向から見た係止部の背面図である。なお、この実施の形態２は、固定ネジの開閉の繰り返し等による塗装面の剥離や錆の発生などの問題も同時に解決するようにしたものである。
【００１９】
可動式ホーム柵の上蓋等に鋼板を用いた場合、・コストが低い、・製作が容易である、・塗料との相性が良好であるので所望の色調、柄に任意に対応できる、・屋外設置の場合、ステンレス材では線膨張係数が大きく熱伝導が悪いので、一部に太陽光が当たる状態が続くとその部分のみ大きく歪みが生じるが、鋼板塗装ではそのようなことがない等の利点が多いため、鋼板が採用される場合が多い。しかし、上蓋等を鋼板塗装製とした場合、保守点検などの都度、固定ネジ６を緩めたり、締め込んだりして固定ネジ６を回転させることにより次第に上蓋２の前面部２１の塗装が剥がれ、雨がかかる場所に設置された場合には、剥がれた箇所から水分等の付着により錆が発生し、また、固定ネジ６も錆びるという問題があった。
【００２０】
図において、鋼板製の上蓋２の前面部２１の固定ネジ６が取付けられる箇所に、固定ネジ６の頭部より大きな径の穴２１ｂを設け、この穴２１ｂを設けた前面部２１の内側に、例えば耐食性の良好なステンレス材などで製作した固定ネジ保持装置５０を構成するコの字型の固定金具５４を固着させ、また固定ネジ６も、同様に耐食性の良好なステンレス材で製作したものである。なお図示省略しているが、固定金具５４の手前側（図８の左方）の上記穴２１ｂに対応する部分には、固定ネジ６の大径部６３ｂを挿通する丸穴が設けられ、固定金具５４の奥側（図８の右方）には、固定ネジ６のネジ部６１に螺合するネジ穴が設けられていること、及びその他の構成は実施の形態１と同様である。
【００２１】
上記のように構成された実施の形態２においては、固定ネジ保持装置５０を上蓋２の前面部２１の所定部に設けた固定ネジ６の頭部よりも大径の穴２１ｂの背面側に設け、固定ネジ６の頭部と鋼板塗装の上蓋２の前面部２１との直接的な接触を絶つようにし、また、摺動部分はすべてステンレス製としたため、保守点検などの都度、固定ネジ６を緩めたり、締め込んだりして固定ネジ６を回転させることによる上蓋２の前面部２１の塗装が剥がれたりすることは皆無であり、固定ネジ６も錆び難いといった効果がある。また、固定ネジ６の頭部が前面部２１の穴２１ｂに入り込むので、頭部の出っ張りを小さくできるなどの効果も得られる。
【００２２】
なお、上記実施の形態の説明では、係止部４０を金具４４とナット４２を用いて構成したが、勿論これに限定されるものではなく、固定ネジ６によって上蓋２をホーム柵本体１に固定できるものであれば良い。例えば、ホーム柵本体１の上端部に固定ネジ６に螺合するネジ穴を設けることができる段部が形成されているか、形成することができる場合などには、例えばその断部に固定ネジ６に螺合するネジ穴を螺設して係止部を構成することができるので、金具４４及びナット４２を省くことも可能である。また、圧縮バネ５３を引っ張りバネで構成し、あるいはスプリングを他の弾性部材に置き換えても差し支えない。また、固定ネジ６の首部（軸の中央部）に、小径部６３ａと大径部６３ｂによって形成された段部６２に、バネ座５２を係止させたが、例えば首部の径を一定にして所定部に周方向の溝を形成し、その溝にスナップリングなどを嵌め込んでバネ座とすることなどもできる。
【図面の簡単な説明】
【００２３】
【図１】この発明の実施の形態１による可動式ホーム柵の上蓋固定時の要部断面図であり、図６のＩ−Ｉ線における矢視断面図に相当する。
【図２】図１に示す固定ネジ保持装置の組付け状態を説明する図。
【図３】図１に示す固定ネジを係止部から外した状態を示す断面図。
【図４】図１に示す上蓋を開いた状態を示す断面図。
【図５】上蓋を図４の状態から閉じたときの状態を示す断面図。
【図６】図１に示す可動式ホーム柵の全体をプラットホーム中央部側から見たときの正面図。
【図７】図６の可動式ホーム柵を図６の矢印Ａ方向から見た側面図。
【図８】この発明の実施の形態２による可動式ホーム柵における定ネジ保持装置と係止部の構成を示す断面図。
【図９】図８の矢印Ｅ方向から見た正面図。
【図１０】図８の矢印Ｆ方向から見た係止部の背面図。
【図１１】従来の可動式ホーム柵におけるホーム柵本体の上端部に設けられた点検用の上蓋の全閉時の固定状態を示す断面図。
【図１２】図１１に示す上蓋の全開状態を示す断面図。
【符号の説明】
【００２４】
１  ホーム柵本体（柵）、  ２  上蓋、  ２１  前面部、  ２１ａ  丸穴、  ２１ｂ  穴、  ３  ヒンジ、  ４０  係止部、  ４２  ナット、  ４３  固定用ネジ、  ４４  金具、  ４４ａ  当接部、  ５０  固定ネジ保持装置、  ５１  Ｌ形金具、  ５１ａ  ネジ穴、  ５２  バネ座、  ５２ａ  丸穴、  ５３  圧縮バネ（弾性部材）、  ５４  固定金具、  ６  固定ネジ、  ６１  ネジ部、  ６１ａ  先端、  ６２  段部、  ６３ａ  小径部、  ６３ｂ  大径部、  ７  可動扉、  １００  プラットホーム床。
【図１】
2007216898.tif 000003
【図２】
2007216898.tif 000004
【図３】
2007216898.tif 000005
【図４】
2007216898.tif 000006
【図５】
2007216898.tif 000007
【図６】
2007216898.tif 000008
【図７】
2007216898.tif 000009
【図８】
2007216898.tif 000010
【図９】
2007216898.tif 000011
【図１０】
2007216898.tif 000012
【図１１】
2007216898.tif 000013
【図１２】
2007216898.tif 000014